【手続補正書】
【提出日】平成18年4月5日(2006.4.5)
【手続補正１】
【補正対象書類名】明細書
【補正対象項目名】発明の名称
【補正方法】変更
【補正の内容】
【発明の名称】データ通信システム及びデータ通信装置
【手続補正２】
【補正対象書類名】明細書
【補正対象項目名】特許請求の範囲
【補正方法】変更
【補正の内容】
【特許請求の範囲】
【請求項１】  少なくとも１回の非同期通信を用いて１つ以上のセグメントからなるデータを転送するソース・ノードと、
前記ソース・ノードから転送されたデータを受信する１つ以上のデスティネーション・ノードと、
前記ソース・ノードと前記１つ以上のデスティネーション・ノードとの間に論理的な接続関係を設定するコントローラとを有し、
前記コントローラは、複数の異なる通信プロトコルの中から、前記ソース・ノードと前記デスティネーション・ノードとの間で使用される通信プロトコルを選択することを特徴とするデータ通信システム。
【請求項２】  １つ以上のセグメントからなるデータを少なくとも１つの通信パケットにパケッタイズする手段と、
１つ以上のデスティネーション・ノードとの間に設定された論理的な接続関係と複数の異なる通信プロトコルの１つとを用いて、前記通信パケットを非同期転送する手段とを有することを特徴とするデータ通信装置。
【請求項３】  ソース・ノードとの間に設定された論理的な接続関係と複数の異なる通信プロトコルの１つとを用いて非同期転送された少なくとも１つの通信パケットを受信する手段と、
前記通信パケットに含まれるデータを該通信パケットの指定するメモリ空間に書き込む手段とを有することを特徴とするデータ通信装置。
【請求項４】  ソース・ノードと１つ以上のデスティネーション・ノードとの間に論理的な接続関係を設定する手段と、
前記論理的な接続関係において使用可能な通信プロトコルを、複数の異なる通信プロトコルの中から選択する手段とを有することを特徴とするデータ通信装置。
【請求項５】  データを送信するソース・ノードと、前記データを受信するデスティネーション・ノードとを含むデータ通信システムであって、
１つ以上の特定された転送先或いは不特定多数の転送先に応じて異なる複数の通信プロトコルの何れかを選択し、前記データを転送することを特徴とするデータ通信システム。
【請求項６】  データを送信するソース・ノードと、前記データを受信するデスティネーション・ノードとを含むデータ通信システムであって、
前記ソース・ノードと前記デスティネーション・ノードとの間の接続を設定する迄の動作を共用する複数の通信プロトコルの何れかを選択し、前記データを転送することを特徴とするデータ通信システム。
【請求項７】  データを送信するソース・ノードと、前記データを受信するデスティネーション・ノードとを含むデータ通信システムに適用可能なデータ通信装置であって、
１つ以上の特定された転送先或いは不特定多数の転送先に応じて異なる複数の通信プロトコルの何れかを選択する選択手段と、
前記選択手段により選択された通信プロトコルに基づいてデータの転送を行う転送手段とを有することを特徴とするデータ通信装置。
【手続補正３】
【補正対象書類名】明細書
【補正対象項目名】０００１
【補正方法】変更
【補正の内容】
【０００１】
【発明の属する技術分野】
本発明はデータ通信システム及びデータ通信装置に関し、特に、情報データ（画像データを含む）とコマンドデータとを混在させて高速に通信するネットワークとそのネットワークに適用可能な通信プロトコルに関するものである。
【手続補正４】
【補正対象書類名】明細書
【補正対象項目名】００１６
【補正方法】変更
【補正の内容】
【００１６】
【課題を解決するための手段】
本発明に係るデータ通信システムは、少なくとも１回の非同期通信を用いて１つ以上のセグメントからなるデータを転送するソース・ノードと、前記ソース・ノードから転送されたデータを受信する１つ以上のデスティネーション・ノードと、前記ソース・ノードと前記１つ以上のデスティネーション・ノードとの間に論理的な接続関係を設定するコントローラとを有し、前記コントローラは、複数の異なる通信プロトコルの中から、前記ソース・ノードと前記デスティネーション・ノードとの間で使用される通信プロトコルを選択することを特徴とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
本発明に係るデータ通信装置は、１つ以上のセグメントからなるデータを少なくとも１つの通信パケットにパケッタイズする手段と、１つ以上のデスティネーション・ノードとの間に設定された論理的な接続関係と複数の異なる通信プロトコルの１つとを用いて、前記通信パケットを非同期転送する手段とを有することを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
本発明に係る他のデータ通信装置は、ソース・ノードとの間に設定された論理的な接続関係と複数の異なる通信プロトコルの１つとを用いて非同期転送された少なくとも１つの通信パケットを受信する手段と、前記通信パケットに含まれるデータを該通信パケットの指定するメモリ空間に書き込む手段とを有することを特徴とする。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
本発明に係る他のデータ通信装置は、ソース・ノードと１つ以上のデスティネーション・ノードとの間に論理的な接続関係を設定する手段と、前記論理的な接続関係において使用可能な通信プロトコルを、複数の異なる通信プロトコルの中から選択する手段とを有することを特徴とする。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
本発明に係る他のデータ通信システムは、データを送信するソース・ノードと、前記データを受信するデスティネーション・ノードとを含むデータ通信システムであって、１つ以上の特定された転送先或いは不特定多数の転送先に応じて異なる複数の通信プロトコルの何れかを選択し、前記データを転送することを特徴とする。
【手続補正１３】
【補正対象書類名】明細書
【補正対象項目名】００２５
【補正方法】変更
【補正の内容】
【００２５】
本発明に係る他のデータ通信システムは、データを送信するソース・ノードと、前記データを受信するデスティネーション・ノードとを含むデータ通信システムであって、前記ソース・ノードと前記デスティネーション・ノードとの間の接続を設定する迄の動作を共用する複数の通信プロトコルの何れかを選択し、前記データを転送することを特徴とする。
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】変更
【補正の内容】
【００２８】
本発明に係る他のデータ通信装置は、データを送信するソース・ノードと、前記データを受信するデスティネーション・ノードとを含むデータ通信システムに適用可能なデータ通信装置であって、１つ以上の特定された転送先或いは不特定多数の転送先に応じて異なる複数の通信プロトコルの何れかを選択する選択手段と、前記選択手段により選択された通信プロトコルに基づいてデータの転送を行う転送手段とを有することを特徴とする。